(57)【要約】  カスケード通信設備のリセット方法及び装置を開示し、リセット命令のタイプを区分することによって、カスケード通信設備での伝送モジュールのリセットを単独に制御する。論理制御モジュールはハードリセットまたはソフトリセット命令を受信した場合、カスケード通信設備での伝送モジュール以外のモジュールをリセットし、伝送モジュールリセット命令を受信した場合、カスケード通信設備での伝送モジュールをリセットする。カスケード通信設備のリセットがダウンストリームのカスケード通信設備の正常動作に影響しないように確保し、カスケード通信設備のコストを増加しないうえで、システムの信頼性を向上させる。
2008547334.tif 000002
【特許請求の範囲】
【請求項１】
通信ネットワークにおけるカスケード通信設備のリセット方法であって、
リセット命令を受信した場合、リセット命令のタイプを決定し、
決定されたリセット命令のタイプに基づいて、カスケード通信設備でのモジュールをリセットする、ことを含み、
前記モジュールをリセットすることは、
リセット命令がグローバルリセット命令である場合、前記カスケード通信設備での、伝送モジュール以外の少なくとも一つのモジュールをリセットし、
リセット命令が伝送モジュールリセット命令である場合、前記カスケード通信設備での伝送モジュールをリセットする、ことを含む、
ことを特徴とする方法。
【請求項２】
前記カスケード通信設備でのモジュールのリセットにおいて、異なる入力ポートが異なるタイプのリセット命令を受信し、且つ異なる出力ポートが異なるリセット信号を出力するように設定する、
ことをさらに含むことを特徴とする請求項１に記載の方法。
【請求項３】
前記リセット命令のタイプを判断することは、前記リセット命令を受信する入力ポートに基づいて、リセット命令のタイプを決定することを含むことを特徴とする請求項２に記載の方法。
【請求項４】
前記カスケード通信設備での、伝送モジュール以外の少なくとも一つのモジュールをリセットすることは、グローバルリセット信号を生成し、前記グローバルリセット信号に対応する出力ポートを介して前記グローバルリセット信号を出力し、前記グローバルリセット信号に基づいて、前記カスケード通信設備での、伝送モジュール以外の少なくとも一つのモジュールをリセットすることを含むことを特徴とする請求項２に記載の方法。
【請求項５】
前記カスケード通信設備での伝送モジュールをリセットすることは、伝送モジュールリセット信号を生成し、前記伝送モジュールリセット信号に対応する出力ポートを介して前記伝送モジュールリセット信号を出力し、前記伝送モジュールリセット信号に基づいて、前記カスケード通信設備での伝送モジュールをリセットすることを含むことを特徴とする請求項２に記載の方法。
【請求項６】
前記グローバルリセット命令が、外部のハードリセット命令と、前記カスケード通信設備からのソフトリセット命令とのうちの少なくとも一つを含み、
前記伝送モジュールリセット命令が、前記カスケード通信設備のメイン制御モジュールからの伝送モジュールリセット命令を含むことを特徴とする請求項１に記載の方法。
【請求項７】
前記カスケード通信設備がリモート無線ユニット（ＲＲＵ）、またはカスケードの基地局であることを特徴とする請求項１に記載の方法。
【請求項８】
カスケード通信設備のリセット装置であって、
カスケード通信設備でのモジュールの運用と状態を制御、管理するメイン制御モジュールと、
無線送受信機能を提供する無線周波数パワーアンプモジュールと、
カスケード通信設備と基地局との間、またはカスケード通信設備同士間の伝送チャネルを提供する伝送モジュールと、
リセット命令のタイプに基づいて、カスケード通信設備でのモジュールのリセットを制御する論理制御モジュールと、を含み、
前記論理制御モジュールは、前記セット命令がグローバルリセット命令である場合、前記カスケード通信設備での、伝送モジュール以外の少なくとも一つのモジュールをリセットし、前記セット命令が伝送モジュールリセット命令である場合、前記カスケード通信設備での伝送モジュールをリセットする、
ことを特徴とする装置。
【請求項９】
前記論理制御モジュールがプログラマブルロジックデバイス（ＰＬＤ）、またはコンプレックスプログラマブルロジックデバイス（ＣＰＬＤ）、またはフィールドプログラマブルゲートアレイ（ＦＰＧＡ）チップであることを特徴とする請求項８に記載の装置。
【請求項１０】
前記論理制御モジュールが、異なるタイプのリセット命令を受信する一つまたは一つ以上の入力ポートと、異なるタイプのリセット信号を出力する一つまたは一つ以上の出力ポートと、を含むことを特徴とする請求項８または請求項９に記載の装置。
【請求項１１】
前記カスケード通信設備がリモート無線ユニット（ＲＲＵ）、またはカスケードの基地局であることを特徴とする請求項８に記載の装置。
【発明の詳細な説明】
【技術分野】
【０００１】
本発明は無線基地局システムに関し、特に、カスケード通信設備（Ｃａｓｃａｄｅｄ  Ｃｏｍｍｕｎｉｃａｔｉｏｎ  Ｄｅｖｉｃｅ）のリセット方法及び装置に関する。
【背景技術】
【０００２】
無線通信ネットワークにおいて、無線基地局システムは無線周波数モジュールをその内に含む基地局であってよく、基地局と無線周波数モジュールが分離された分散基地局であってもよい。分散基地局にとって、分離された無線周波数モジュールがリモート無線ユニット（ＲＲＵ：Ｒｅｍｏｔｅ  Ｒａｄｉｏ  Ｕｎｉｔ）と呼ばれ、基地局とＲＲＵの間はスター型、デイジーチェーン型、ツリー型などのような様々なネットワークトポロジーを構成することができる。無線アクセスネットワークはユーザに無線アクセス機能を提供する。一つの基地局またはＲＲＵは一定のエリアをカバーし、且つカバーエリア内のユーザにサービスを提供し、各カスケードＲＲＵ同士間は伝送モジュールによって接続されて基地局との通信を実現する。図１Ａは基地局とＲＲＵのデイジーチェーン型ネットワーク構成を示す図であり、図１Ａに示すように、基地局とＲＲＵの間ではデイジーチェーン型のネットワーキングトポロジーを採用し、ＲＲＵ１にとっては、ＲＲＵ１のダウンストリーム設備としてＲＲＵ２とＲＲＵ３が含まれ、基地局はＲＲＵ１のアップストリーム設備である。図１Ｂは基地局とＲＲＵのツリー型ネットワーク構成を示す図であり、図１Ｂに示すように、基地局とＲＲＵの間ではツリー型のネットワーキングトポロジーを採用し、ＲＲＵ１にとっては、ＲＲＵ１のダウンストリーム設備としてＲＲＵ２、ＲＲＵ３及びＲＲＵ４が含まれ、基地局はＲＲＵ１のアップストリーム設備である。ここでＲＲＵ１〜ＲＲＵ３はカスケード通信設備とも呼ばれ、このようなカスケード通信設備にはカスケードの基地局もある。
【０００３】
上記基地局とＲＲＵのデイジーチェーン型またはツリー型などのネットワーク構成において、ＲＲＵ２がリセットされた場合、ＲＲＵ２の起動中に、当該ＲＲＵ２がサービスを提供できなくなり、ＲＲＵ２の通信中断によってダウンストリームのＲＲＵ３が迫られてサービスで退出されて、システム全体のサービス能力が大きな影響を与えられるようになる。また、ダウンストリームのＲＲＵ３のサービスエリアが重点エリアである場合は、ユーザからの多くの苦情を招き、ネットワークに対するユーザの信頼性が低下してしまう。
【０００４】
現在、ＲＲＵのリセットはバイパスリセット方式を採用し、普通、リレーで実現される。図２は従来技術におけるＲＲＵのリセット回路を示す図であり、図２に示すように、ＲＲＵが正常に動作する場合、ＲＲＵ間は伝送モジュールの接続によって通信し、リレーＲＬはコンタクトＡを介してＲＲＵ１／基地局、ＲＲＵ２及びＲＲＵ３の伝送モジュールと接続する。ＲＲＵ２がリセットする場合、リレーＲＬはコンタクトＢを介して、アップストリームのＲＲＵ１／基地局とダウンストリームのＲＲＵ３の間に物理接続を確立することによって、ダウンストリームのＲＲＵ３とＲＲＵ１／基地局の間の通信を確保し、ダウンストリームのＲＲＵの正常動作を確保する。説明すべきところは、このようなバイパスリセット方式でリセットする方法は、他のカスケード設備にも同様に適用される。
【発明の開示】
【発明が解決しようとする課題】
【０００５】
しかしながら、従来技術では、余計なハードウェアの追加によってバイパスリセットを実現するため、ＲＲＵのコストが増加するとともに、システムの信頼性も低下し、それにリレーはＲＲＵの伝送モジュールの間がケーブルインターフェースを採用する場合のみに有効になり、光ファイバーインターフェースを採用する場合には無効になる。
【０００６】
本発明は上記に鑑みてなされたものであって、カスケード通信設備のコストを削減し、信頼性を向上させることができるカスケード通信設備のリセット方法及び装置を提供することを主な目的とする。
【課題を解決するための手段】
【０００７】
上記目的を達成するため、本発明は下記の具体的な解決手段によって実現される。
【０００８】
通信ネットワークにおけるカスケード通信設備のリセット方法であって、リセット命令を受信した場合、リセット命令のタイプを決定し、決定されたリセット命令のタイプに基づいて、カスケード通信設備でのモジュールをリセットする、ことを含み、前記モジュールをリセットすることは、リセット命令がグローバルリセット命令である場合、前記カスケード通信設備での、伝送モジュール以外の少なくとも一つのモジュールをリセットし、リセット命令が伝送モジュールリセット命令である場合、前記カスケード通信設備での伝送モジュールをリセットする、ことを含む。
【０００９】
前記カスケード通信設備でのモジュールのリセットにおいて、異なる入力ポートが異なるタイプのリセット命令を受信し、且つ異なる出力ポートが異なるリセット信号を出力するように設定する、ことをさらに含む。
【００１０】
前記リセット命令のタイプを判断することは、前記リセット命令を受信する入力ポートに基づいて、リセット命令のタイプを決定することを含む。
【００１１】
前記カスケード通信設備での、伝送モジュール以外の少なくとも一つのモジュールをリセットすることは、グローバルリセット信号を生成し、前記グローバルリセット信号に対応する出力ポートを介して前記グローバルリセット信号を出力し、前記グローバルリセット信号に基づいて、前記カスケード通信設備での、伝送モジュール以外の少なくとも一つのモジュールをリセットすることを含む。
【００１２】
前記カスケード通信設備での伝送モジュールをリセットすることは、伝送モジュールリセット信号を生成し、前記伝送モジュールリセット信号に対応する出力ポートを介して前記伝送モジュールリセット信号を出力し、前記伝送モジュールリセット信号に基づいて、前記カスケード通信設備での伝送モジュールをリセットすることを含む。
【００１３】
前記グローバルリセット命令が、外部のハードリセット命令と、前記カスケード通信設備からのソフトリセット命令とのうちの少なくとも一つを含み、前記伝送モジュールリセット命令が、前記カスケード通信設備のメイン制御モジュールからの伝送モジュールリセット命令を含む。
【００１４】
前記カスケード通信設備がリモート無線ユニット（ＲＲＵ）、またはカスケードの基地局である。
【００１５】
カスケード通信設備のリセット装置であって、カスケード通信設備でのモジュールの運用と状態を制御、管理するメイン制御モジュールと、無線送受信機能を提供する無線周波数パワーアンプモジュールと、カスケード通信設備と基地局との間、またはカスケード通信設備同士間の伝送チャネルを提供する伝送モジュールと、リセット命令のタイプに基づいて、カスケード通信設備でのモジュールのリセットを制御する論理制御モジュールと、を含み、前記論理制御モジュールは、前記セット命令がグローバルリセット命令である場合、前記カスケード通信設備での、伝送モジュール以外の少なくとも一つのモジュールをリセットし、前記セット命令が伝送モジュールリセット命令である場合、前記カスケード通信設備での伝送モジュールをリセットする。
【００１６】
前記論理制御モジュールがプログラマブルロジックデバイス（ＰＬＤ）、またはコンプレックスプログラマブルロジックデバイス（ＣＰＬＤ）、またはフィールドプログラマブルゲートアレイ（ＦＰＧＡ）チップである。
【００１７】
前記論理制御モジュールが、異なるタイプのリセット命令を受信する一つまたは一つ以上の入力ポートと、異なるタイプのリセット信号を出力する一つまたは一つ以上の出力ポートと、を含む。
【００１８】
前記カスケード通信設備がリモート無線ユニット（ＲＲＵ）、またはカスケードの基地局である。
【発明の効果】
【００１９】
上記の解決手段からわかるように、本発明では論理制御モジュールによりカスケード通信設備リセット命令のタイプを区分する。論理制御モジュールはグローバルリセット命令を受信した場合、グローバルリセット信号を出力して、カスケード通信設備での、伝送モジュール以外のモジュールをリセットし、伝送モジュールリセット命令を受信した場合、伝送モジュールリセット信号を出力して、カスケード通信設備での伝送モジュールをリセットする。これにより、カスケード通信設備での伝送モジュールのリセットを単独に制御し、カスケード通信設備のリセットがダウンストリームのカスケード通信設備の正常動作に影響しないように確保する。したがって、システム全体のサービス能力を確保すると同時に、ネットワークに対するユーザの信頼性も向上させる。本発明では、余計なハードウェアを追加する必要なくて、カスケード通信設備のコストを削減し、システムの信頼性も確保できる。それに本発明の技術案は、基地局とカスケード通信設備の伝送モジュールの間、又はカスケード通信設備の伝送モジュールの間がケーブルインターフェースそれとも光ファイバーインターフェースを採用するかにかかわらず有効である。
【発明を実施するための最良の形態】
【００２０】
本発明の実施例では、カスケード通信設備に伝送モジュールリセット命令を追加し、カスケード通信設備のリセット命令のタイプを区分することによって、カスケード通信設備での伝送モジュールのリセットを単独に制御する。論理制御モジュールはグローバルリセット命令を受信した場合、カスケード通信設備での、伝送モジュール以外のモジュールをリセットし、伝送モジュールリセット命令を受信した場合、カスケード通信設備での伝送モジュールをリセットする。上記グローバルリセット命令は外部のハードリセット命令及び・またはカスケード通信設備からのソフトリセット命令であることができる。
【００２１】
本発明の目的、解決案及びメリットを更に明確にするため、以下、図面を参照し、好ましい実施例を挙げて本発明を更に詳しく説明する。
【００２２】
以下ではＲＲＵを例として説明する。
【００２３】
図３は本発明に係るＲＲＵのリセットを実現する原理を示す図であり、図３からわかるように、ＲＲＵには主に以下のモジュールが含まれる。
【００２４】
メイン制御モジュール：ＲＲＵでの各モジュールの運用と状態を制御、管理する。具体的に、メイン制御モジュールは、論理制御モジュールがグローバルリセット信号を出力して、伝送モジュール以外の、メイン制御モジュール自身を含むモジュールをリセットするように制御し、またはメイン制御モジュールは、論理制御モジュールへ伝送モジュールリセット命令を送信して、論理制御モジュールがＲＲＵでの伝送モジュールをリセットするように制御する。
【００２５】
無線周波数パワーアンプモジュール（ＲＦ  ＰＡ  Ｍｏｄｕｌｅ）：ＲＲＵの無線受信と送信機能を提供する。無線周波数パワーアンプモジュールのリセットは論理制御モジュールからのグローバルリセット信号によって制御される。
【００２６】
伝送モジュール：ＲＲＵと基地局の間、及びＲＲＵとＲＲＵの間の伝送チャネルを提供し、データ、クロックなどの情報を伝送する。伝送モジュールのリセットが論理制御モジュールからの伝送モジュールリセット信号によって制御される。
【００２７】
現在ＲＲＵをリセットするときに、ダウンストリームのＲＲＵの正常運用に影響しないようにするため、伝送モジュールにおいて、プログラマブルロジックデバイス（ＰＬＤ）、またはコンプレックスプログラマブルロジックデバイス（ＣＰＬＤ）、またはフィールドプログラマブルゲートアレイ（ＦＰＧＡ）チップによって以下のような処理が行われることができる。
【００２８】
ダウンリンク方向、即ちアップストリームのＲＲＵ／基地局からダウンストリームのＲＲＵへの方向において、正常に動作する場合、伝送モジュールはアップストリームのＲＲＵ／基地局からのデータをコピーし、一つを現在ＲＲＵに送信して処理し、もう一つを必要に応じて簡単に処理してからダウンストリームのＲＲＵに送信して処理する。
【００２９】
アップリンク方向、即ちダウンストリームのＲＲＵからアップストリームのＲＲＵ／基地局への方向において、正常に動作する場合、伝送モジュールはダウンストリームのＲＲＵからのデータと現在ＲＲＵのデータをバッファリングし且つ合併した後、アップストリームのＲＲＵ／基地局に送信する。
【００３０】
このように、現在ＲＲＵをリセットするとき、伝送モジュールが影響を受けない限り、ダウンストリームのＲＲＵとアップストリームのＲＲＵ／基地局との間の通信リンクに影響しなく、ダウンストリームのＲＲＵが正常に動作できる。
【００３１】
説明すべきところは、ＲＲＵをリセットするとき、リセット、ロードなどのような、ＰＬＤ、ＣＰＬＤまたはＦＰＧＡの正常動作に影響する操作はできない。
【００３２】
論理制御モジュール：ＲＲＵのリセット命令のタイプを区分し、且つ異なるリセット命令に応じて異なるリセット信号を生成し、ＲＲＵでの異なるモジュールのリセットを制御する。具体的に言うと、論理制御モジュールは外部のリセット押しボタン／リセットスイッチからのハードリセット命令またはメイン制御モジュールからのソフトリセット命令を受信した場合、グローバルリセット信号を出力してＲＲＵでの、伝送モジュール以外のモジュールをリセットする。例えば、グローバルリセット信号をメイン制御モジュールと無線周波数パワーアンプモジュールに出力して、メイン制御モジュール、無線周波数パワーアンプモジュール及び論理制御モジュール自身のリセットを制御する。ここで、外部のリセット押しボタン／リセットスイッチからのハードリセット命令またはメイン制御モジュールからのソフトリセット命令は共にグローバルリセット命令と呼ばれる。また、論理制御モジュールはメイン制御モジュールからの伝送モジュールリセット命令を受信した場合、伝送モジュールリセット信号を伝送モジュールに出力して、ＲＲＵでの伝送モジュールをリセットする。
【００３３】
上記のハードリセット命令は実際の状況に応じてメンテナンス担当者から出され、ソフトリセット命令及びメイン制御モジュールからの伝送モジュールリセット命令のそれぞれは、ＲＲＵのメイン制御モジュールによってＲＲＵと伝送モジュールの故障が検出されたときに出されるリセット命令である。リセット命令を生成する方法は従来技術であり、ここでは説明を省略する。強調すべきは、伝送モジュールに対するリセットを単独に制御して、伝送モジュール自身に故障が発生した場合のみに、リセット操作を行うように確保する。
【００３４】
図４は本発明に係るＲＲＵのリセットを示すフローチャートである。図３を参照して、ＲＲＵ１／基地局、ＲＲＵ２及びＲＲＵ３の間は各自の伝送モジュールによってデイジーチェーン型ネットワーク通信を実現する。ネットワーク中の各ＲＲＵが正常の動作状態にあると仮定すれば、あるＲＲＵでの論理制御モジュールがリセット命令を受信した後、本発明方法は以下のステップを含む。
【００３５】
ステップ４００で、ＲＲＵでの論理制御モジュールが、受信したリセット命令のタイプを判断し、グローバルリセット命令である場合、ステップ４０１に進み、伝送モジュールリセット命令である場合、ステップ４０２に進む。
【００３６】
異なるリセット命令のタイプを区分するため、論理制御モジュールの異なる入力ポートにより異なるリセット命令を受信するように設定でき、論理制御モジュールに設定される入力ポートが一つまたは一つ以上であっていい。例えば、入力ポート０がハードリセット命令に対応され、入力ポート１がソフトリセット命令に対応され、入力ポート２がメイン制御モジュールからの伝送モジュールリセット命令に対応される。またソフトウェアの方法で異なるリセット命令を区別することもできる。
【００３７】
論理制御モジュールが異なる入力ポートを検出し、リセット命令を検出した場合、リセット命令の所在ポートに従って、当該リセット命令のタイプを決定することができる。
【００３８】
論理制御モジュールがＰＬＤ、ＣＰＬＤ、ＦＰＧＡチップなどで実現されることができる。
【００３９】
本ステップにおいて、グローバルリセット命令にはリセット押しボタンから入力したハードリセット命令及びメイン制御モジュールから送信したソフトリセット命令などが含まれる。伝送モジュールリセット命令はメイン制御モジュールからのものであっていい。本発明で、論理制御モジュールはリセット命令を受信したかどうかをリアルタイムに検出する。
【００４０】
本ステップにおいて異なるリセット命令を区分することによって、ＲＲＵでの伝送モジュールに対する単独のリセット制御を実現し、ＲＲＵでの他のモジュールのリセットの場合にも、伝送モジュールが依然として通信を正常に提供するように確保する。
【００４１】
ステップ４０１で、論理制御モジュールがグローバルリセット信号を出力し、ＲＲＵでの、伝送モジュール以外のモジュールをリセットした後、ステップ４００に戻る。
【００４２】
本ステップからわかるように、グローバルリセット信号がＲＲＵでのメイン制御モジュール、無線パワーアンプモジュール及び論理制御モジュール自身のみをリセットし、伝送モジュールが依然として正常の動作状態にあり、引き続き通信を正常に提供することができるため、ダウンストリームのＲＲＵとアップストリームのＲＲＵの正常通信が確保される。
【００４３】
ステップ４０２で、論理制御モジュールが伝送モジュールリセット信号を出力し、ＲＲＵでの伝送モジュールをリセットした後、ステップ４００に戻る。
【００４４】
ステップ４０１とステップ４０２において、論理制御モジュールに異なる出力ポートにより異なるリセット信号を出力するように設定することで、ＲＲＵでの異なるモジュールのリセットを制御することができる。論理制御モジュールに設定される出力ポートが一つまたは一つ以上であっていい。
【００４５】
上記はＲＲＵのみを例として説明したが、本発明の方法はＲＲＵだけでなく、カスケードの基地局のような類似のカスケード通信設備にも適用される。
【００４６】
上記は、本発明の好ましい実施例にすぎず、本発明の保護範囲を限定するものではない。本発明の精神と原則内で行われる種々の修正、均等切替、改善などは全て本発明の保護範囲内に含まれるべきである。
【図面の簡単な説明】
【００４７】
【図１Ａ】基地局とＲＲＵのデイジーチェーン型ネットワーク構成を示す図である。
【図１Ｂ】基地局とＲＲＵのツリー型ネットワーク構成を示す図である。
【図２】従来技術におけるＲＲＵのリセットを実現する回路を示す図である。
【図３】本発明に係るＲＲＵのリセットを実現する原理を示す図である。
【図４】本発明に係るＲＲＵのリセットを示すフローチャートである。
【符号の説明】
【００４８】
４００  受信したリセット命令のタイプを判断
４０１  ＲＲＵでの伝送モジュール以外のモジュールをリセット
４０２  ＲＲＵでの伝送モジュールをリセット
【図１Ａ】
2008547334.tif 000003
【図１Ｂ】
2008547334.tif 000004
【図２】
2008547334.tif 000005
【図３】
2008547334.tif 000006
【図４】
2008547334.tif 000007
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
通信ネットワークにおけるカスケード通信設備のリセット方法であって、
リセット命令を受信した場合、リセット命令のタイプを決定し、
決定されたリセット命令のタイプに基づいて、カスケード通信設備でのモジュールをリセットする、
ことを含み、
前記モジュールをリセットすることは、
リセット命令がグローバルリセット命令である場合、前記カスケード通信設備での、伝送モジュール以外の少なくとも一つのモジュールをリセットし、
リセット命令が伝送モジュールリセット命令である場合、前記カスケード通信設備での伝送モジュールをリセットする、ことを含む、
ことを特徴とする方法。
【請求項２】
前記カスケード通信設備でのモジュールのリセットにおいて、異なる入力ポートが異なるタイプのリセット命令を受信し、且つ異なる出力ポートが異なるリセット信号を出力するように設定する、
ことをさらに含むことを特徴とする請求項１に記載の方法。
【請求項３】
前記リセット命令のタイプを判断することは、前記リセット命令を受信する入力ポートに基づいて、リセット命令のタイプを決定することを含むことを特徴とする請求項２に記載の方法。
【請求項４】
前記カスケード通信設備での、伝送モジュール以外の少なくとも一つのモジュールをリセットすることは、グローバルリセット信号を生成し、前記グローバルリセット信号に対応する出力ポートを介して前記グローバルリセット信号を出力し、前記グローバルリセット信号に基づいて、前記カスケード通信設備での、伝送モジュール以外の少なくとも一つのモジュールをリセットすることを含むことを特徴とする請求項２に記載の方法。
【請求項５】
前記カスケード通信設備での伝送モジュールをリセットすることは、伝送モジュールリセット信号を生成し、前記伝送モジュールリセット信号に対応する出力ポートを介して前記伝送モジュールリセット信号を出力し、前記伝送モジュールリセット信号に基づいて、前記カスケード通信設備での伝送モジュールをリセットすることを含むことを特徴とする請求項２に記載の方法。
【請求項６】
前記グローバルリセット命令が、外部のハードリセット命令と、前記カスケード通信設備からのソフトリセット命令とのうちの少なくとも一つを含むことを特徴とする請求項１に記載の方法。
【請求項７】
カスケード通信設備のリセット装置であって、
カスケード通信設備と基地局との間、またはカスケード通信設備同士間の伝送チャネルを提供する伝送モジュールと、
リセット命令のタイプに基づいて、カスケード通信設備でのモジュールのリセットを制御する論理制御モジュールと、を含み、
前記論理制御モジュールは、前記セット命令がグローバルリセット命令である場合、前記カスケード通信設備での、伝送モジュール以外の少なくとも一つのモジュールをリセットし、前記セット命令が伝送モジュールリセット命令である場合、前記カスケード通信設備での伝送モジュールをリセットする、
ことを特徴とする装置。
【請求項８】
前記論理制御モジュールは、グローバルリセット信号を生成し、前記グローバルリセット信号を出力して、前記カスケード通信設備での、伝送モジュール以外の少なくとも一つのモジュールをリセットするモジュールをさらに含むことを特徴とする請求項７に記載の装置。
【請求項９】
前記論理制御モジュールは、伝送モジュールリセット信号を生成し、前記伝送モジュールリセット信号を出力して、前記カスケード通信設備での伝送モジュールをリセットするモジュールをさらに含むことを特徴とする請求項７に記載の装置。
【請求項１０】
前記グローバルリセット命令が、外部のハードリセット命令と、前記カスケード通信設備のメイン制御モジュールからのソフトリセット命令とのうちの少なくとも一つを含むことを特徴とする請求項７に記載の装置。
【請求項１１】
前記論理制御モジュールがプログラマブルロジックデバイス（ＰＬＤ）、またはコンプレックスプログラマブルロジックデバイス（ＣＰＬＤ）、またはフィールドプログラマブルゲートアレイ（ＦＰＧＡ）チップであることを特徴とする請求項７に記載の装置。
【請求項１２】
前記論理制御モジュールが、異なるタイプのリセット命令を受信する一つまたは一つ以上の入力ポートを含むことを特徴とする請求項７〜請求項１０のいずれか１項に記載の装置。
【請求項１３】
前記論理制御モジュールが、異なるタイプのリセット信号を出力する一つまたは一つ以上の出力ポートを含むことを特徴とする請求項８または請求項９に記載の装置。
【請求項１４】
前記カスケード通信設備がリモート無線ユニット（ＲＲＵ）、またはカスケードの基地局であることを特徴とする請求項７に記載の装置。
【手続補正２】
【補正対象書類名】明細書
【補正対象項目名】全文
【補正方法】変更
【補正の内容】
【発明の詳細な説明】
【技術分野】
【０００１】
本発明は無線基地局システムに関し、特に、カスケード通信設備（Ｃａｓｃａｄｅｄ  Ｃｏｍｍｕｎｉｃａｔｉｏｎ  Ｄｅｖｉｃｅ）のリセット方法及び装置に関する。
【背景技術】
【０００２】
無線通信ネットワークにおいて、無線基地局システムは無線周波数モジュールをその内に含む基地局であってよく、基地局と無線周波数モジュールが分離された分散基地局であってもよい。分散基地局にとって、分離された無線周波数モジュールがリモート無線ユニット（ＲＲＵ：Ｒｅｍｏｔｅ  Ｒａｄｉｏ  Ｕｎｉｔ）と呼ばれ、基地局とＲＲＵの間はスター型、デイジーチェーン型、ツリー型などのような様々なネットワークトポロジーを構成することができる。無線アクセスネットワークはユーザに無線アクセス機能を提供する。一つの基地局またはＲＲＵは一定のエリアをカバーし、且つカバーエリア内のユーザにサービスを提供し、各カスケードＲＲＵ同士間は伝送モジュールによって接続されて基地局との通信を実現する。図１Ａは基地局とＲＲＵのデイジーチェーン型ネットワーク構成を示す図であり、図１Ａに示すように、基地局とＲＲＵの間ではデイジーチェーン型のネットワーキングトポロジーを採用し、ＲＲＵ１にとっては、ＲＲＵ１のダウンストリーム設備としてＲＲＵ２とＲＲＵ３が含まれ、基地局はＲＲＵ１のアップストリーム設備である。図１Ｂは基地局とＲＲＵのツリー型ネットワーク構成を示す図であり、図１Ｂに示すように、基地局とＲＲＵの間ではツリー型のネットワーキングトポロジーを採用し、ＲＲＵ１にとっては、ＲＲＵ１のダウンストリーム設備としてＲＲＵ２、ＲＲＵ３及びＲＲＵ４が含まれ、基地局はＲＲＵ１のアップストリーム設備である。ここでＲＲＵ１〜ＲＲＵ３はカスケード通信設備とも呼ばれ、このようなカスケード通信設備にはカスケードの基地局もある。
【０００３】
上記基地局とＲＲＵのデイジーチェーン型またはツリー型などのネットワーク構成において、ＲＲＵ２がリセットされた場合、ＲＲＵ２の起動中に、当該ＲＲＵ２がサービスを提供できなくなり、ＲＲＵ２の通信中断によってダウンストリームのＲＲＵ３が迫られてサービスで退出されて、システム全体のサービス能力が大きな影響を与えられるようになる。また、ダウンストリームのＲＲＵ３のサービスエリアが重点エリアである場合は、ユーザからの多くの苦情を招き、ネットワークに対するユーザの信頼性が低下してしまう。
【０００４】
現在、ＲＲＵのリセットはバイパスリセット方式を採用し、普通、リレーで実現される。図２は従来技術におけるＲＲＵのリセット回路を示す図であり、図２に示すように、ＲＲＵが正常に動作する場合、ＲＲＵ間は伝送モジュールの接続によって通信し、リレーＲＬはコンタクトＡを介してＲＲＵ１／基地局、ＲＲＵ２及びＲＲＵ３の伝送モジュールと接続する。ＲＲＵ２がリセットする場合、リレーＲＬはコンタクトＢを介して、アップストリームのＲＲＵ１／基地局とダウンストリームのＲＲＵ３の間に物理接続を確立することによって、ダウンストリームのＲＲＵ３とＲＲＵ１／基地局の間の通信を確保し、ダウンストリームのＲＲＵの正常動作を確保する。説明すべきところは、このようなバイパスリセット方式でリセットする方法は、他のカスケード設備にも同様に適用される。
【発明の開示】
【発明が解決しようとする課題】
【０００５】
しかしながら、従来技術では、余計なハードウェアの追加によってバイパスリセットを実現するため、ＲＲＵのコストが増加するとともに、システムの信頼性も低下し、それにリレーはＲＲＵの伝送モジュールの間がケーブルインターフェースを採用する場合のみに有効になり、光ファイバーインターフェースを採用する場合には無効になる。
【０００６】
本発明は上記に鑑みてなされたものであって、カスケード通信設備のコストを削減し、信頼性を向上させることができるカスケード通信設備のリセット方法及び装置を提供することを主な目的とする。
【課題を解決するための手段】
【０００７】
上記目的を達成するため、本発明は下記の具体的な解決手段によって実現される。
【０００８】
通信ネットワークにおけるカスケード通信設備のリセット方法であって、リセット命令を受信した場合、リセット命令のタイプを決定し、決定されたリセット命令のタイプに基づいて、カスケード通信設備でのモジュールをリセットする、ことを含み、前記モジュールをリセットすることは、リセット命令がグローバルリセット命令である場合、前記カスケード通信設備での、伝送モジュール以外の少なくとも一つのモジュールをリセットし、リセット命令が伝送モジュールリセット命令である場合、前記カスケード通信設備での伝送モジュールをリセットする、ことを含む。
【０００９】
前記カスケード通信設備でのモジュールのリセットにおいて、異なる入力ポートが異なるタイプのリセット命令を受信し、且つ異なる出力ポートが異なるリセット信号を出力するように設定する、ことをさらに含む。
【００１０】
前記リセット命令のタイプを判断することは、前記リセット命令を受信する入力ポートに基づいて、リセット命令のタイプを決定することを含む。
【００１１】
前記カスケード通信設備での、伝送モジュール以外の少なくとも一つのモジュールをリセットすることは、グローバルリセット信号を生成し、前記グローバルリセット信号に対応する出力ポートを介して前記グローバルリセット信号を出力し、前記グローバルリセット信号に基づいて、前記カスケード通信設備での、伝送モジュール以外の少なくとも一つのモジュールをリセットすることを含む。
【００１２】
前記カスケード通信設備での伝送モジュールをリセットすることは、伝送モジュールリセット信号を生成し、前記伝送モジュールリセット信号に対応する出力ポートを介して前記伝送モジュールリセット信号を出力し、前記伝送モジュールリセット信号に基づいて、前記カスケード通信設備での伝送モジュールをリセットすることを含む。
【００１３】
前記グローバルリセット命令が、外部のハードリセット命令と、前記カスケード通信設備からのソフトリセット命令とのうちの少なくとも一つを含む。
【００１４】
カスケード通信設備のリセット装置であって、カスケード通信設備と基地局との間、またはカスケード通信設備同士間の伝送チャネルを提供する伝送モジュールと、リセット命令のタイプに基づいて、カスケード通信設備でのモジュールのリセットを制御する論理制御モジュールと、を含み、前記論理制御モジュールは、前記セット命令がグローバルリセット命令である場合、前記カスケード通信設備での、伝送モジュール以外の少なくとも一つのモジュールをリセットし、前記セット命令が伝送モジュールリセット命令である場合、前記カスケード通信設備での伝送モジュールをリセットする。
【００１５】
前記論理制御モジュールは、グローバルリセット信号を生成し、前記グローバルリセット信号を出力して、前記カスケード通信設備での、伝送モジュール以外の少なくとも一つのモジュールをリセットするモジュールをさらに含む。
【００１６】
前記論理制御モジュールは、伝送モジュールリセット信号を生成し、前記伝送モジュールリセット信号を出力して、前記カスケード通信設備での伝送モジュールをリセットするモジュールをさらに含む。
【００１７】
前記グローバルリセット命令が、外部のハードリセット命令と、前記カスケード通信設備のメイン制御モジュールからのソフトリセット命令とのうちの少なくとも一つを含む。
【００１８】
前記論理制御モジュールがプログラマブルロジックデバイス（ＰＬＤ）、またはコンプレックスプログラマブルロジックデバイス（ＣＰＬＤ）、またはフィールドプログラマブルゲートアレイ（ＦＰＧＡ）チップである。
【００１９】
前記論理制御モジュールが、異なるタイプのリセット命令を受信する一つまたは一つ以上の入力ポートを含む。
【００２０】
前記論理制御モジュールが、異なるタイプのリセット信号を出力する一つまたは一つ以上の出力ポートを含む。
【００２１】
前記カスケード通信設備がリモート無線ユニット（ＲＲＵ）、またはカスケードの基地局である。
【発明の効果】
【００２２】
上記の解決手段からわかるように、本発明では論理制御モジュールによりカスケード通信設備リセット命令のタイプを区分する。論理制御モジュールはグローバルリセット命令を受信した場合、グローバルリセット信号を出力して、カスケード通信設備での、伝送モジュール以外のモジュールをリセットし、伝送モジュールリセット命令を受信した場合、伝送モジュールリセット信号を出力して、カスケード通信設備での伝送モジュールをリセットする。これにより、カスケード通信設備での伝送モジュールのリセットを単独に制御し、カスケード通信設備のリセットがダウンストリームのカスケード通信設備の正常動作に影響しないように確保する。したがって、システム全体のサービス能力を確保すると同時に、ネットワークに対するユーザの信頼性も向上させる。本発明では、余計なハードウェアを追加する必要なくて、カスケード通信設備のコストを削減し、システムの信頼性も確保できる。それに本発明の技術案は、基地局とカスケード通信設備の伝送モジュールの間、又はカスケード通信設備の伝送モジュールの間がケーブルインターフェースそれとも光ファイバーインターフェースを採用するかにかかわらず有効である。
【発明を実施するための最良の形態】
【００２３】
本発明の実施例では、カスケード通信設備に伝送モジュールリセット命令を追加し、カスケード通信設備のリセット命令のタイプを区分することによって、カスケード通信設備での伝送モジュールのリセットを単独に制御する。論理制御モジュールはグローバルリセット命令を受信した場合、カスケード通信設備での、伝送モジュール以外のモジュールをリセットし、伝送モジュールリセット命令を受信した場合、カスケード通信設備での伝送モジュールをリセットする。上記グローバルリセット命令は外部のハードリセット命令及び・またはカスケード通信設備からのソフトリセット命令であることができる。
【００２４】
本発明の目的、解決案及びメリットを更に明確にするため、以下、図面を参照し、好ましい実施例を挙げて本発明を更に詳しく説明する。
【００２５】
以下ではＲＲＵを例として説明する。
【００２６】
図３は本発明に係るＲＲＵのリセットを実現する原理を示す図であり、図３からわかるように、ＲＲＵには主に以下のモジュールが含まれる。
【００２７】
メイン制御モジュール：ＲＲＵでの各モジュールの運用と状態を制御、管理する。具体的に、メイン制御モジュールは、論理制御モジュールがグローバルリセット信号を出力して、伝送モジュール以外の、メイン制御モジュール自身を含むモジュールをリセットするように制御し、またはメイン制御モジュールは、論理制御モジュールへ伝送モジュールリセット命令を送信して、論理制御モジュールがＲＲＵでの伝送モジュールをリセットするように制御する。
【００２８】
無線周波数パワーアンプモジュール（ＲＦ  ＰＡ  Ｍｏｄｕｌｅ）：ＲＲＵの無線受信と送信機能を提供する。無線周波数パワーアンプモジュールのリセットは論理制御モジュールからのグローバルリセット信号によって制御される。
【００２９】
伝送モジュール：ＲＲＵと基地局の間、及びＲＲＵとＲＲＵの間の伝送チャネルを提供し、データ、クロックなどの情報を伝送する。伝送モジュールのリセットが論理制御モジュールからの伝送モジュールリセット信号によって制御される。
【００３０】
現在ＲＲＵをリセットするときに、ダウンストリームのＲＲＵの正常運用に影響しないようにするため、伝送モジュールにおいて、プログラマブルロジックデバイス（ＰＬＤ）、またはコンプレックスプログラマブルロジックデバイス（ＣＰＬＤ）、またはフィールドプログラマブルゲートアレイ（ＦＰＧＡ）チップによって以下のような処理が行われることができる。
【００３１】
ダウンリンク方向、即ちアップストリームのＲＲＵ／基地局からダウンストリームのＲＲＵへの方向において、正常に動作する場合、伝送モジュールはアップストリームのＲＲＵ／基地局からのデータをコピーし、一つを現在ＲＲＵに送信して処理し、もう一つを必要に応じて簡単に処理してからダウンストリームのＲＲＵに送信して処理する。
【００３２】
アップリンク方向、即ちダウンストリームのＲＲＵからアップストリームのＲＲＵ／基地局への方向において、正常に動作する場合、伝送モジュールはダウンストリームのＲＲＵからのデータと現在ＲＲＵのデータをバッファリングし且つ合併した後、アップストリームのＲＲＵ／基地局に送信する。
【００３３】
このように、現在ＲＲＵをリセットするとき、伝送モジュールが影響を受けない限り、ダウンストリームのＲＲＵとアップストリームのＲＲＵ／基地局との間の通信リンクに影響しなく、ダウンストリームのＲＲＵが正常に動作できる。
【００３４】
説明すべきところは、ＲＲＵをリセットするとき、リセット、ロードなどのような、ＰＬＤ、ＣＰＬＤまたはＦＰＧＡの正常動作に影響する操作はできない。
【００３５】
論理制御モジュール：ＲＲＵのリセット命令のタイプを区分し、且つ異なるリセット命令に応じて異なるリセット信号を生成し、ＲＲＵでの異なるモジュールのリセットを制御する。具体的に言うと、論理制御モジュールは外部のリセット押しボタン／リセットスイッチからのハードリセット命令またはメイン制御モジュールからのソフトリセット命令を受信した場合、グローバルリセット信号を出力してＲＲＵでの、伝送モジュール以外のモジュールをリセットする。例えば、グローバルリセット信号をメイン制御モジュールと無線周波数パワーアンプモジュールに出力して、メイン制御モジュール、無線周波数パワーアンプモジュール及び論理制御モジュール自身のリセットを制御する。ここで、外部のリセット押しボタン／リセットスイッチからのハードリセット命令またはメイン制御モジュールからのソフトリセット命令は共にグローバルリセット命令と呼ばれる。また、論理制御モジュールはメイン制御モジュールからの伝送モジュールリセット命令を受信した場合、伝送モジュールリセット信号を伝送モジュールに出力して、ＲＲＵでの伝送モジュールをリセットする。
【００３６】
上記のハードリセット命令は実際の状況に応じてメンテナンス担当者から出され、ソフトリセット命令及びメイン制御モジュールからの伝送モジュールリセット命令のそれぞれは、ＲＲＵのメイン制御モジュールによってＲＲＵと伝送モジュールの故障が検出されたときに出されるリセット命令である。リセット命令を生成する方法は従来技術であり、ここでは説明を省略する。強調すべきは、伝送モジュールに対するリセットを単独に制御して、伝送モジュール自身に故障が発生した場合のみに、リセット操作を行うように確保する。
【００３７】
図４は本発明に係るＲＲＵのリセットを示すフローチャートである。図３を参照して、ＲＲＵ１／基地局、ＲＲＵ２及びＲＲＵ３の間は各自の伝送モジュールによってデイジーチェーン型ネットワーク通信を実現する。ネットワーク中の各ＲＲＵが正常の動作状態にあると仮定すれば、あるＲＲＵでの論理制御モジュールがリセット命令を受信した後、本発明方法は以下のステップを含む。
【００３８】
ステップ４００で、ＲＲＵでの論理制御モジュールが、受信したリセット命令のタイプを判断し、グローバルリセット命令である場合、ステップ４０１に進み、伝送モジュールリセット命令である場合、ステップ４０２に進む。
【００３９】
異なるリセット命令のタイプを区分するため、論理制御モジュールの異なる入力ポートにより異なるリセット命令を受信するように設定でき、論理制御モジュールに設定される入力ポートが一つまたは一つ以上であっていい。例えば、入力ポート０がハードリセット命令に対応され、入力ポート１がソフトリセット命令に対応され、入力ポート２がメイン制御モジュールからの伝送モジュールリセット命令に対応される。またソフトウェアの方法で異なるリセット命令を区別することもできる。
【００４０】
論理制御モジュールが異なる入力ポートを検出し、リセット命令を検出した場合、リセット命令の所在ポートに従って、当該リセット命令のタイプを決定することができる。
【００４１】
論理制御モジュールがＰＬＤ、ＣＰＬＤ、ＦＰＧＡチップなどで実現されることができる。
【００４２】
本ステップにおいて、グローバルリセット命令にはリセット押しボタンから入力したハードリセット命令及びメイン制御モジュールから送信したソフトリセット命令などが含まれる。伝送モジュールリセット命令はメイン制御モジュールからのものであっていい。本発明で、論理制御モジュールはリセット命令を受信したかどうかをリアルタイムに検出する。
【００４３】
本ステップにおいて異なるリセット命令を区分することによって、ＲＲＵでの伝送モジュールに対する単独のリセット制御を実現し、ＲＲＵでの他のモジュールのリセットの場合にも、伝送モジュールが依然として通信を正常に提供するように確保する。
【００４４】
ステップ４０１で、論理制御モジュールがグローバルリセット信号を出力し、ＲＲＵでの、伝送モジュール以外のモジュールをリセットした後、ステップ４００に戻る。
【００４５】
本ステップからわかるように、グローバルリセット信号がＲＲＵでのメイン制御モジュール、無線パワーアンプモジュール及び論理制御モジュール自身のみをリセットし、伝送モジュールが依然として正常の動作状態にあり、引き続き通信を正常に提供することができるため、ダウンストリームのＲＲＵとアップストリームのＲＲＵの正常通信が確保される。
【００４６】
ステップ４０２で、論理制御モジュールが伝送モジュールリセット信号を出力し、ＲＲＵでの伝送モジュールをリセットした後、ステップ４００に戻る。
【００４７】
ステップ４０１とステップ４０２において、論理制御モジュールに異なる出力ポートにより異なるリセット信号を出力するように設定することで、ＲＲＵでの異なるモジュールのリセットを制御することができる。論理制御モジュールに設定される出力ポートが一つまたは一つ以上であっていい。
【００４８】
上記はＲＲＵのみを例として説明したが、本発明の方法はＲＲＵだけでなく、カスケードの基地局のような類似のカスケード通信設備にも適用される。
【００４９】
上記は、本発明の好ましい実施例にすぎず、本発明の保護範囲を限定するものではない。本発明の精神と原則内で行われる種々の修正、均等切替、改善などは全て本発明の保護範囲内に含まれるべきである。
【図面の簡単な説明】
【００５０】
【図１Ａ】基地局とＲＲＵのデイジーチェーン型ネットワーク構成を示す図である。
【図１Ｂ】基地局とＲＲＵのツリー型ネットワーク構成を示す図である。
【図２】従来技術におけるＲＲＵのリセットを実現する回路を示す図である。
【図３】本発明に係るＲＲＵのリセットを実現する原理を示す図である。
【図４】本発明に係るＲＲＵのリセットを示すフローチャートである。
【符号の説明】
【００５１】
４００  受信したリセット命令のタイプを判断
４０１  ＲＲＵでの伝送モジュール以外のモジュールをリセット
４０２  ＲＲＵでの伝送モジュールをリセット
【国際調査報告】
2008547334.tif 000008
2008547334.tif 000009
2008547334.tif 000010
2008547334.tif 000011